(57)【要約】【課題】複数の配線を効率良く整理できるとともに、デリケートな配線に無理な力が作用することなく保持でき、複数の配線を処理可能であるにもかかわらず小物等の落下を防止できる家具天板の配線処理構造を提供せんとする。【解決手段】家具Ｆの天板２周縁に沿った一箇所又は複数箇所に、外側方に開放されて縦方向に配線を抱持する凹溝１０を複数連設してなる配線保持部１を設けてなり、特に、天板周縁に切欠溝２０を形成し、上下に貫通し且つ外側方に開放された凹溝１０を複数連設してなる保持部材１１を前記切欠溝２０からなる凹部に取付けて配線保持部１を構成した。【選択図】　　　　　図１
2004121415.tif 000002
【特許請求の範囲】
【請求項１】
机、テーブル、ワゴン、キャビネット等の家具天板の周縁に沿った一箇所又は複数箇所に、外側方に開放されて縦方向に配線を抱持する凹溝を複数連設した配線保持部を設けてなる配線処理構造。
【請求項２】
前記配線保持部が、前記複数の凹溝を設けた保持部材を前記天板の周縁に形成した凹部に取り付けてなる請求項１記載の配線処理構造。
【請求項３】
前記凹溝の内壁部分を軟質部材で構成してなる請求項１又は２記載の配線処理構造。
【請求項４】
前記配線保持部を前記天板の隅部に設けてなる請求項１〜３の何れか１項に記載の配線処理構造。
【請求項５】
複数の前記天板を隣接配置させた配線処理構造であって、前記配線処理部を互いに対応した周縁位置に設け、互いの配線処理部の凹溝をそれぞれ対向させてなる請求項１〜４の何れか１項に記載の配線処理構造。
【発明の詳細な説明】
【０００１】
【発明の属する技術分野】
本発明は、家具天板の周縁部に配線保持部を設けた配線処理構造に関する。
【０００２】
【従来の技術】
従来より、机天板上に電話やＯＡ機器等を設置して使用するための配線処理構造として、特に当該天板を壁面に当てて配置したり二つの机を向かい合わせて配置する場合を考慮して、前記天板に上下貫通した開口部を設け、該開口部を通じて電源やネットワークの配線を天板下から引き出すことが知られており、配線をコンセント等に結線したまま外側方から前記開口部に挿通させる手法として、天板の周縁部に外方へ開放された切欠部を設け、該切欠部に配線を挿入した後、該開放部位を閉塞してなる配線処理構造が種々提案されている（例えば、特許文献１参照）。
【０００３】
一方、近年のパソコン等の情報端末のネットワーク化によりＬＡＮケーブルなどの天板上における配線は増加の傾向にあり、且つこれら配線は従来にも増してデリケートなものとなっている。
これら複数の配線を従来の如き切欠部に挿入して処理する場合、当該切欠部の開口面積は相応に大きくしておく必要があり、配線がそれほど多くない場合には当該開口の空きスペースを通じて小物等が容易に落下してしまうといった不都合が生じていた。
また、単に配線を通すだけの切欠部であるため、複数の配線が密集することにより互いに干渉し合い、各配線を上手く整理しにくいといった問題もあった。更に、このように大きな開口を有する切欠部に挿通された配線はその自重により常に下方に引っ張られ、当該天板縁部にて水平方向に屈曲する配線の当該屈曲部位が破損する原因ともなる。
【０００４】
【特許文献１】
実公平３−１３２１２号公報
【特許文献２】
実公昭５５−３０３２９号公報
【特許文献３】
実公昭６２−１１４６０号公報
【特許文献４】
実公昭５７−５６７４０号公報
【０００５】
【発明が解決しようとする課題】
そこで、本発明が前述の状況に鑑み、解決しようとするところは、複数の配線を効率良く整理できるとともに、デリケートな配線に無理な力が作用することなく保持でき、複数の配線を処理可能であるにもかかわらず小物等の落下を防止できる家具天板の配線処理構造を提供する点にある。
【０００６】
【課題を解決するための手段】
本発明は、前述の課題解決のために、机、テーブル、ワゴン、キャビネット等の家具天板の周縁に沿った一箇所又は複数箇所に、外側方に開放されて縦方向に配線を抱持する凹溝を複数連設した配線保持部を設けてなる配線処理構造を提供する。
【０００７】
ここで、前記配線保持部は前記複数の凹溝を設けた保持部材を前記天板の周縁に形成した凹部に取り付けてなるものが好ましい。
【０００８】
また、前記凹溝の内壁部分は軟質部材で構成することが好ましく、前記配線保持部を前記天板の隅部に設けることが好ましい。
【０００９】
また、複数の前記天板を隣接配置させた配線処理構造であって、前記配線処理部を互いに対応した周縁位置に設け、互いの配線処理部の凹溝をそれぞれ対向させてなるものが好ましい。
【００１０】
【発明の実施の形態】
次に、本発明の実施形態を添付図面に基づき詳細に説明する。
【００１１】
図１は、本発明に係る配線処理構造を備えた机５を示す斜視図であり、図１〜図５は第１実施形態、図６及び図７は第２実施形態を示し、図中符号１は配線保持部、２は天板、１０は凹溝をそれぞれ示している。
【００１２】
本発明の配線処理構造Ｓは、図１に示すように、家具Ｆの天板２周縁に沿った一箇所又は複数箇所に、外側方に開放されて縦方向に配線を抱持する凹溝１０を複数連設してなる配線保持部１を設けたものであり、パソコン等の機器から延びる電源ケーブルやネットワークケーブル等の多くの配線を効率良くまとめて処理できると同時に、天板に従来の如き大きな穴が開口しないため物品の落下を防止できるといった特徴を有する。
尚、以下の例では前記家具Ｆとして折畳式の机５を例示しているが、本発明はこれに限らず、例えばテーブル、ワゴン、キャビネット等の様々な家具の天板に広く適用できる。
【００１３】
先ず、図１〜５に基づき本発明の第１実施形態を説明する。
【００１４】
本実施形態の配線処理構造Ｓは、机５の天板周縁に沿った適所、本例では机背面側の天板側端面２１における左右隅部２２、２３と中央部２４にそれぞれ切欠溝２０を形成し、該切欠溝２０からなる凹部に後述の保持部材１１を取付けて配線保持部１を構成したものである。
【００１５】
前記保持部材１１は、樹脂材料やゴム材料により側端面２１に沿った横長で前記切欠溝２０に略合致する形状に成形され、該切欠溝２０に装着された状態で前記天板側端面２１と略面一となる部材側端面１２には、図２及び図４にも示すように、上下に貫通され且つ外側方に開放された平面視半楕円形状の凹溝１０が複数連設されている。ここで、前記保持部材１１は、樹脂材料やゴム材料からなるもの以外に、ステンレス、アルミ等の金属材料や木材からなるものであってもよい。
【００１６】
これら凹溝１０における実際に配線を係止する内壁部分には、二色成形により軟質部材を突設した抱持部１３が構成されている。両軟質部材の間には略一定間隔を保って内方に延びる配線収納空間が形成され、該空間に挿入した配線が両軟質部材により摩擦係止されるのである。この軟質部材からなる抱持部１３の成形には、好ましくはエラストマーやゴム材料が用いられる。尚、前記抱持部１３は、二色成形により軟質部材を形成したもの以外に、別体成形した軟質部材をネジや接着剤等を用いて凹溝内壁に固定したものであっても良い。
【００１７】
図４に示すように、前記保持部材１１により縦方向に保持された配線６は当該保持部材１１上部で屈曲して天板２の上面に沿って延出されるが、当該配線の屈曲部６０が当接する各凹溝上端の開口縁部１０ａには、屈曲した配線６の外皮を破壊することなくスムーズに引き出せるように、当該縁部を角取りしてなる緩やかなテーパー部１４が形成されている。
【００１８】
これら保持部材１１の前記切欠溝２０への取付手段としては、前記凹溝１０に対応して同じく外側方に開放した複数の切欠部３０を備える連結板３が設けられ、図３に示すように、ネジ止めにより前記連結板３を前記保持部材１１及び天板２の下面側に渡設することで当該連結板３を介して切欠溝２０に保持部材１１が取付られている。このような連結板３を採用することで、天板２上面に段差を生じることなく取付られ、また、当該保持部材１１上に何らかの物品が載置されても支持強度が保てることとなる。
【００１９】
尚、前記保持部材１１は、天板２の左右の側端面又は前面側端面に設けてなるものも好ましく、また、天板が平面視円板形状、楕円形状、異形状であって端面が曲面形状の場合は、該曲面に沿った端面を有する保持部材を設けることが好ましい。
【００２０】
本実施形態では、机背面側の天板側端面２１における左右隅部２２、２３の互いに対象となる位置にそれぞれ凹溝１０が形成されており、天板の背面側端面を互いに隣接させて当該机を二つ背面合わせに設置すれば、図５（ａ）に示すように、互いに対応する凹溝１０、１０がそれぞれ対向して当接し、両天板２、２の間には当接した凹溝１０、１０の組みからなる平面視略楕円形の配線保持孔１５が横方向に複数形成され、これら複数の配線保持孔１５を通じて両机の配線を効率よく処理できることとなる。図示したものは、同じく背面側端面を隣接配置した一組の机５、５を更に横方向に隣接配置することで四つの机５を組合わせて設置した態様を示しており、四つの机の集合した隅部に複数の配線保持孔１５が集合形成され、該配線保持孔１５を通じて各机の配線が効率よく処理される。
【００２１】
尚、このように隣接配置された天板２の間に形成される二次的な配線処理構造Ｓは、本例の如く隅部に配線処理部１を設けたもの以外にも、天板２の背面側端面又は左右の側端面に、左右対称な位置に対を為す複数の凹溝を備えた配線保持部をそれぞれ設けることにより実現され、特に、前記左右側端面における背面側の隅部にそれぞれ対称に設けたものでは、当該机を同様に四つ組み合わせることにより同じく平面視略楕円形の配線保持孔が前後縦方向に複数形成されることになる。
【００２２】
また、本例では同じく天板側端面２１における中央部２４に左右対称な位置に凹溝１０を配した配線保持部１が形成されており、上記天板の背面側端面を互いに隣接させて２つの机５、５を背面合わせに設置した状態においては、図５（ｂ）に示すように左右対象な凹溝１０、１０が互いに対向して当接し、同じく両天板間に合致した凹溝１０、１０の組みからなる同じく平面視略楕円形の配線保持孔１５が複数形成されている。
【００２３】
次に、図６及び図７に基づき本発明の第２実施形態を説明する。
【００２４】
本実施形態の保持部材１１Ａは、天板２周縁に沿った適所に設けた切欠溝２０の内面に沿って当接する基端側の部材本体１６と該部材本体から外側方に向けて櫛歯状に延びる複数の突片１７とより構成されている。
これら隣接する突片１７の間には、上記第１実施形態と同様、上下に貫通され且つ外側方に開放された凹溝１０Ａが形成されており、該凹溝１０Ａの内壁部分のみならず、当該保持部材１１Ａ全体がエラストマーやゴム材料等からなる軟質部材で構成され、該突片１７により凹溝内の配線を摩擦係止することになる。尚、本例のように、突片１７の間に比較的深い凹溝１０Ａを形成すれば、一つの凹溝１０Ａに複数の配線を抱持させることが可能となる。
【００２５】
図７の断面図に示すように、当該保持部材１１Ａの前記切欠溝２０への取付手段として、前記部材本体１６の上端部には天板２上面に沿って延びる係止片１８が突設されており、該係止片１８を取付ネジ４で天板上面に固定することにより装着されている。また、前記係止片１８には、取付ネジ４の頭部に係合して該頭部を覆う化粧板１９が覆設されている。
【００２６】
以上説明した各実施形態では、それぞれ別体構成した保持部材１１（１１Ａ）を天板２に形成した切欠溝２０に取付けてなるものを例示したが、本発明はこれに限らず、天板２に加工を施して複数の凹溝を有する配線保持部を直接形成することも好ましい実施例である。
また、配線保持部に幅の異なる複数種の凹溝を構成すれば、配線の太さに応じて適当な幅の凹溝に抱持させることが可能となり好ましい。
【００２７】
【発明の効果】
以上のように、本発明の配線処理構造によれば、連設された複数の凹溝によって複数の配線がそれぞれ整理して挿通され、効率良く配線処理できるとともに、連設された凹溝により複数の配線を保持するので、天板上に大きな開口は生じなく、凹溝間の突出部分によって小物等の落下が防止される。
【００２８】
また、配線保持部を、複数の凹溝を設けた保持部材を前記天板の周縁に形成した凹部に取り付けることにより構成したので、天板に直接複数の凹溝を連設させるといった複雑な加工を施すことが回避され製作コストを削減できるとともに、凹溝の形状幅等が異なる保持部材を多種類準備しておき、付け替えるといったことも可能となる。
【００２９】
また、前記凹溝の内壁部分を軟質部材で構成したので、配線の挿着並びに位置決め作業が容易であり、該凹溝に抱持される配線には自重等による無理な力が作用せず、安全性を高めることができる。
【００３０】
また、配線保持部を前記天板の隅部に設ければ、天板のエッジコーナー部の割れを防止する緩衝手段として機能する。
【００３１】
また、複数の前記天板を隣接配置させた配線処理構造であって、前記配線処理部を互いに対応した周縁位置に設け、互いの配線処理部の凹溝をそれぞれ対向させた配線処理構造では、上述した通り小物等の落下を防止しつつ、双方の凹溝により配線を完全に抱持でき、更には、各机の複数の配線を集中的に管理して効率化を図ることができる。
【図面の簡単な説明】
【図１】本発明の配線処理構造を備えた机を示す斜視図。
【図２】同じく配線処理構造の要部を示す部分平面図。
【図３】同じく配線処理構造を構成する保持部材を示す断面図。
【図４】同じく保持部材に配線を保持させた様子を示す斜視図。
【図５】（ａ）は四つの机を組合わせて設置したことにより集合した隅部に形成される配線処理構造を示す説明図、（ｂ）は二つの机を背面合わせに設置したことにより天板側端面の中央部に形成される配線処理構造を示す説明図。
【図６】第２実施形態における保持部材を示す部分斜視図。
【図７】同じく保持部材を示す断面図。
【符号の説明】
Ｓ　配線処理構造
Ｆ　家具
１　配線保持部
２　天板
３　連結板
４　取付ネジ
５　机
６　配線
１０、１０Ａ　凹溝
１０ａ　開口縁部
１１、１１Ａ　保持部材
１２　側端面
１３　抱持部
１４　テーパー部
１５　配線保持孔
１６　部材本体
１７　突片
１８　係止片
１９　化粧板
２０　切欠溝
２１　側端面
２２　隅部
２３　隅部
２４　中央部
３０　切欠部
６０　屈曲部
【図１】
2004121415.tif 000003
【図２】
2004121415.tif 000004
【図３】
2004121415.tif 000005
【図４】
2004121415.tif 000006
【図５】
2004121415.tif 000007
【図６】
2004121415.tif 000008
【図７】
2004121415.tif 000009